【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
外部からの階調データに応じた階調電圧を画素部へ出力する表示装置用駆動回路において、
基準電圧から複数レベルの階調電圧を生成するための生成回路と、
前記階調データに応じたレベルの階調電圧を前記複数レベルの階調電圧の中から選択するセレクタとを備え、
前記階調データは、ＲＧＢの各色ごとに多ビットを含み、
前記生成回路は、外部からの減色モードを示すデータに従って、各レベルの階調電圧の出力数を制御し、
前記生成回路は、減色しない場合に、最高レベルの階調電圧及び最低レベルを含む複数レベルの階調電圧を出力し、
前記生成回路は、前記外部からの減色モードを示すデータに従って減色する暢合に、前記複数レベルの階調電圧のうち最高レベルの階調電圧及び最低レベルの階調電圧を出カし、減色により表示に不要となるレベルの階調電圧の出カを停止することを特徴とする表示装置用駆動回路。
【請求項２】
前記生成回路は、前記基準電圧を分割する抵抗と、分割後の電圧をバッファリングするオペアンブとを備え、
前記生成回路は、前記オペアンプヘ供給する電源を停止することによって、前記減色により表示に不要となるレベルの階調電圧の出カを停止することを特微とする請求項１に記載の表示装置用駆動回路。
【請求項３】
前記複数レベルの階調電圧は、Ｖ０〜Ｖ６３の６４レベルの階調電圧であり、
前記最高レベルの階調電庄は、Ｖ６３であり、
前記最低レベルの階調電圧は、Ｖ０であることを特徴とする請求項１に記載の表示装置用駆動回路。
【請求項４】
外部からの階調データに応じた階調電圧を画素部へ出カする表示装置用駆動回路において、
前記外部から与えられる階調データを入カするインタフェースと、
前記階調データを記憶するメモリと、
前記外部から与えられる制御データに基づいて表示同期信号を生成するタイミング生成回路と、
基準電圧から複数レベルの前記階調電圧を生成する生成回路と、
前記メモリから読み出される階調データに応じたレベルの階調電圧を、前記生成回路で生成された前記複数レベルの階調電圧から選択し、前記表示同期信号に従い、前記選択された階調電圧を前記画素部に出カするセレクタとを備え、
前記階調データは、ＲＧＢの各色ごとに多ビットを含み、
前記生成回路は、外部からの減色を示すデータに従って、各レベルの階調電圧の出力数を制御し、
前記生成回路は、減色しない場合に、最高レベルの階調電圧及び最低レベルを含む複数レベルの階調電圧を出力し、
前記生成回路は、前記外部からの減色を示すデータに従って減色する揚合に、前記複数レベルの階調電圧のうち最高レベルの階調電圧及び最低レベルの階調電圧を出カし、減色により表示に不要となるレベルの該階調電圧の出力を停止すことを特徴とする表示装置用駆動回路。
【請求項５】
外部からの階調データに応じた階調電圧を画素部へ出力する表示装置用駆動回路において、
基準電圧から複数レベルの階調電圧を生成するための生成回路と、
前記階調データに応じたレベルの階調電圧を前記複数レベルの階調電圧の中から選択するセレクタとを備え、
前記表示装置用駆動回路は、第1の表示モードと、前記第１の表示モードよりも色数の少ない第２の表示モードを有し、
前記階調データは、ＲＧＢの各色ごとに多ビットを含み、
前記生成回路は、前記基準電圧を分割する抵抗と、分割後の電圧をバッファリングするオペアンプとを備え、
前記生成回路は、前記第１の表示モードである場合に、最高レベルの階調電圧及び最低レベルの階調電圧を含む複数レベルの階調電圧を出力し、
前記生成回路は、前記第２の表示モードである場合に、前記複数レベルの階調電圧のうち最高レベルの階調電圧及び最低レベルの階調電圧を出カし、さらに、前記オペアンプヘ供給する電源を停止することによって、減色により表示に不要となるレベルの階調電圧の出カを停止することを特微とする表示装置用駆動回路。
【請求項６】
外部からの階調データに応じた階調電圧を画素部へ出カする表示装置用駆動回路において、
基準電圧からＶ０〜Ｖ６３の６４レベルの階調電圧を生成するための生成回路と、
前記階調データに応じたレベルの階調電圧を前記６４レベルの階調電圧の中から選択するセレクタとを備え、
前記表示装置用駆動回路は、第１の表示モードと、前記第１の表示モードよりも色数の少ない第２の表示モードを有し、
前記階調デークは、ＲＧＢの各色ごとに６ビットを含み、
前記生成回路は、前記第１のモードである揚合に、Ｖ０〜Ｖ６３の６４レベルの階調電圧を出力し、
前記生成回路は、前記第２のモードである揚合に、ＶＯの階調電圧とＶ６３の階調電圧を出力し、ＶＯの階調電圧とＶ６３の階調電圧以外の少なくとも１つのレベルの階調電圧の出カを停止することを特徴とする表示装置用駆動回路。
【請求項７】
外部からの階調データに応じた階調電圧を画素部へ出カする表示装置用駆動回路において、
前記外部から与えられる階調データを入カするインターフェースと、
前記階調データを記憶するメモリと、
前記外部から与えられる制御データに基づいて表示同期信号を生成するタイミング生成回路と、
基準電圧から複数レベルの前記階調電圧を生成する生成回路と、
前記メモリから読み出される階調データをフレームレートコントロールによって処理する処理回路と、
処理後の階調データに応じたレベルの階調電圧を、前記生成回路で生成された前記複数レベルの階調電圧から選択し、前記表示同期信号に従い、前記選択された階調電圧を前記画素部に出カするセレクタとを備え、
前記外部からの階調データは、ＲＧＢの各色ごとに多ビットを含み、
前記生成回路は、前記基準電圧を分割する抵抗と、分割後の電圧をバッファリングするオペアンプとを備え、
前記生成回路は、外部からの減色を示すデータに従って、各レベルの階調電圧の出力数を制御し、
前記生成回路は、減色しない場合に、各レベルの階調電圧に対応する前記オペアンプヘ電源を供給することによって、最高レベルの階調電圧及び最低レベルの階調電圧を含む複数レベルの階調電圧を出力し、
前記生成回路は、前記外部からの減色を示すデータに従って減色する揚合にも、前記複数レベルの階調電圧のうち最高レベルの階調電圧及び最低レベルの階調電圧に対応する前記オペアンプヘ電源を常に供給することによって、前記最高レベルの階調電圧及び最低レベルの階調電圧を常に出力し、
減色により表示に不要となるレベルの階調電圧に対応する前記オペアンプヘ供給する電源を停止することによって、前記減色により表示に不要となるレベルの該階調電圧の出力を停止すことを特徴とする表示装置用駆動回路。
【請求項８】
外部からの階調データに応じた階調電圧を画素部へ出力する表示装置用駆動回路において、
前記外部からの階調データに応じた色数を少ない階調電圧で表示できるように、前記外部からの階調データを変換する処理回路と、
基準電圧から複数レベルの階調電圧を生成するための生成回路と、
変換後の階調データに応じたレベルの階調電圧を前記複数レベルの階調電圧の中から選択するセレクタとを備え、
前記表示装置用駆動回路は、第１の表示モードと、前記第１の表示モードよりも色数の少ない第２の表示モードを有し、
前記外部からの階調データは、ＲＧＢの各色ごとに多ビットを含み、
前記生成回路は、前記基準電圧を分割する抵抗と、分割後の電圧をバッファリングするオペアンプとを備え、
前記生成回路は、前記第１の表示モードである場合に、各レベルの階調電圧に対応する前記オペアンプヘ電源を供給することによって、最高レベルの階調電圧及び最低レベルの階調電圧を含む複数レベルの階調電圧を出力し、
前記生成回路は、前記第２の表示モードである場合にも、前記複数レベルの階調電圧のうち最高レベルの階調電圧及び最低レベルの階調電圧に対応する前記オペアンプヘ電源を常に供給することによって、前記最高レベルの階調電圧及び最低レベルの階調電圧を常に出力し、さらに、減色により表示に不要となるレベルの階調電圧に対応する前記オペアンプヘ供給する電源を停止することによって、前記減色により表示に不要となるレベルの階調電圧の出力を停止することを特微とする表示装置用駆動回路。
【請求項９】
外部からの階調データに応じた階調電圧を画素部へ出カする表示装置用駆動回路において、
前記外部からの階調データに応じた色数を少ない階調電圧で表示できるように、前記外部からの階調データを変換する処理回路と、
基準電圧からV０〜V６３の６４レベルの階調電圧を生成するための生成回路と、
変換後の階調データに応じたレベルの階調電圧を前記６４レベルの階調電圧の中から選択するセレクタとを備え、
前記表示装置用駆動回路は、第１の表示モードと、前記第1の表示モードよりも色数の少ない第２の表示モードを有し、
前記外部からの階調データは、ＲＧＢの各色ごとに６ビットを含み、
前記生成回路は、前記基準電圧を分割する抵抗と、分割後の電圧をバッファリングするオペアンプとを備え、
前記生成回路は、前記第１のモードである揚合に、V０〜V６３の６４レベルの階調電圧に対応する前記オペアンプヘ電源を供給することによって、前記V０〜V６３の６４レベルの階調電圧を出力し、
前記生成回路は、前記第２のモードである揚合にも、V０の階調電圧とV６３の階調電圧に対応する前記オペアンプヘ電源を常に供給することによって、前記V０の階調電圧とV６３の階調電圧を常に出力し、V０の階調電圧とV６３の階調電圧以外の少なくとも１つのレベルの階調電圧に対応する前記オペアンプヘ供給する電源を停止することによって、前記V０の階調電圧とV６３の階調電圧以外の少なくとも１つのレベルの階調電圧の出カを停止することを特徴とする表示装置用駆動回路。